(57)【要約】【課題】  より高い吸塵性能を実現することができる吸込口体を備えた掃除機を提供する。【解決手段】  外壁２とこれよりも後退して位置する内壁４とによって塵埃の吸込風路１０を形成しこれらの風路１０によりほぼ半球状の空間部ａを構成したフード部と、このフード部の吸込風路１０の下流側に位置して吸込風路１０に連通し掃除機本体と接続する接続部１と、この接続部１内を通ってフード部の空間部ａに突設され掃除機本体で塵埃を分離したのち空気を噴出するノズル部３とを有する吸込口体を備えた。【選択図】        図１
2005279185.tif 000002
【特許請求の範囲】
【請求項１】
外壁とこれよりも後退して位置する内壁とによって塵埃の吸込風路を形成しこれらの風路によりほぼ半球状の空間部を構成したフード部と、該フード部の吸込風路の下流側に位置して該吸込風路に連通し掃除機本体と接続する接続部と、該接続部内を通って前記フード部の空間部に突設され前記掃除機本体で塵埃を分離したのちの空気を噴出するノズル部とを有する吸込口体を備えたことを特徴とする掃除機。
【請求項２】
前記ノズル部の噴出口よりも後退させた位置に吸込口を有し該ノズル部の外周を覆うように構成して前記接続部の吸込風路と連通する吸込部を設けたことを特徴とする請求項１記載の掃除機。
【請求項３】
吸込口体の少なくとも一部を透明または半透明の材料によって構成したことを特徴とする請求項１または２記載の掃除機。
【請求項４】
開口部を有するほぼ円筒状の側面からなる第１の面部と該第１の面部の両側を覆う第２の面部とからなるフード部と、該フード部の第１の面部に設けられ該第１の面部の周方向に沿って気流を吹き出す吹出し部と、前記第１の面部及び第２の面部の少なくとも一方に設けた気流の吸込部と、外側風路とその内部を貫通する内側風路よりなり前記フード部に連通し掃除機本体と接続する接続部と、該接続部に連通し被清掃面に向けて空気を噴出するノズル部とを有する吸込口体を備えたことを特徴とする掃除機。
【請求項５】
ノズル部の空気はトリガーを操作したときのみ放出され、放出される空気の流量及び流速は前記トリガーの操作量に関連することを特徴とする請求項４に記載の掃除機。
【請求項６】
放出される空気の流量は間欠的に放出停止を繰り返すかまたは周期的に変動して増減し流速に緩急がつくことを特徴とする請求項５記載の掃除機。
【請求項７】
空気の流量が周期的に変動しその変動の中心値が前記トリガーの操作量に相関することを特徴とする請求項５記載の掃除機。
【請求項８】
ノズル部および吹出し部の少なくとも一方から吹き出される空気に、静電気を中和するイオンを含んでいることを特徴とする請求項４〜７のいずれかに記載の掃除機。
【請求項９】
吸込口体の少なくとも一部を透明または半透明の材料によって構成したことを特徴とする請求項４〜７のいずれかに記載の掃除機。
【請求項１０】
開口部を有するほぼ円筒状の側面からなる第１の面部と該第１の面部の両側を覆う第２の面部とからなるフード部と、該フード部の第１の面部に設けられ該第１の面部の周方向に沿って気流を吹き出す吹出し部と、前記第１の面部及び第２の面部の少なくとも一方に設けた気流の吸込部と、外側風路とその内部を貫通する内側風路よりなり前記フード部に連通し掃除機本体と接続する接続部と、被清掃面を清掃するための固定清掃体または回転清掃体とを有する吸込口体を備えたことを特徴とする掃除機。
【請求項１１】
回転清掃体はトリガーを操作したときのみ動作し、回転の動作速度は前記トリガーの操作量に関連することを特徴とする請求項１０に記載の掃除機。
【請求項１２】
回転動作は間欠的に繰り返すかまたは回転の動作速度が周期的に変動して回転数の動作速度が増減し動作速度に緩急がつくことを特徴とする請求項１１記載の掃除機。
【請求項１３】
回転の動作速度が周期的に変動しその変動の中心値が前記トリガーの操作量に相関することを特徴とする請求項１１記載の掃除機。
【請求項１４】
吹出し部から吹き出される空気に、静電気を中和するイオンを含んでいることを特徴とする請求項１０〜１３のいずれかに記載の掃除機。
【請求項１５】
吸込口体の少なくとも一部を透明または半透明の材料によって構成したことを特徴とする請求項１０〜１３のいずれかに記載の掃除機。
【発明の詳細な説明】
【技術分野】
【０００１】
本発明は、被清掃面に付着する塵埃を吸塵する吸込口体を備えた掃除機に関するものである。
【背景技術】
【０００２】
従来の掃除機の吸込口体は、広い底面を開口部とした円錐形の構造をしていた（例えば、特許文献１参照）。
【０００３】
【特許文献１】特開平８−２７５９１２号公報（第４頁、図１）
【発明の開示】
【発明が解決しようとする課題】
【０００４】
特許文献１の吸込口体は、広い底面を開口部とした円錐形の構造をしていたため、開口部における吸込み時の流速が小さくなり、被清掃面から剥離して空気中に浮遊している塵埃の吸引力が弱く、塵埃が十分に吸塵されずに飛散してしまうという問題があった。
【０００５】
本発明は、上記のよう課題を解決するためになされたもので、より高い吸塵性能を実現することができる吸込口体を備えた掃除機を提供することを目的とする。
【課題を解決するための手段】
【０００６】
本発明に係る掃除機は、外壁とこれよりも後退して位置する内壁とによって塵埃の吸込風路を形成しこれらの風路によりほぼ半球状の空間部を構成したフード部と、該フード部の吸込風路の下流側に位置して該吸込風路に連通し掃除機本体と接続する接続部と、該接続部内を通って前記フード部の空間部に突設され前記掃除機本体で塵埃を分離したのち空気を噴出するノズル部とを有する吸込口体を備えたものである。
【発明の効果】
【０００７】
本発明に係る掃除機は、フード部の外周に塵埃の吸込風路を形成したので、フード部の外周における塵埃の吸込み速度が大きくなり、空気中に浮遊する塵埃の吸引力が強くなって、吸塵性能を高める。
【発明を実施するための最良の形態】
【０００８】
［実施の形態１］
図１は本発明の実施の形態１に係る掃除機の吸込口体を示す斜視図、図２は図１の正面図、図３は図１の縦断面図である。
図において、吸込口体の接続パイプ１の先端部にフード形状の吸込部外面体２が設けられ、吸込部外面体２の内側には吸込部内面体４が形成されており、吸込部内面体４もフード形状をして、その内側にほぼ半球状の空間部ａが設けられている。吸込部外面体２と吸込部内面体４は透明度の高い材料で形成されており、吸込部外面体２の外側から吸込部内面体４の内側の空間部ａを使用者が目視できるようにしてある。吸込部内面体４の内側には、ノズル３が設けられ、その先端には噴出口５が設けられている。また、吸込部外面体２と吸込部内面体４の間には吸込口６が設けられている。
【０００９】
吸込部内面体４は吸込部外面体２よりも後退して配設され、このため吸込部外面体２の先端は吸込口６よりも若干突出して吸込口６の外周を囲い、吸込部外面体２の略外周内側にスリット状に吸込口６及び吸込風路１０が形成されている。本実施の形態では、吸込口６は全周つながったスリット形状であるが、分割された複数のスリット形状であってもよい。
接続パイプ１の内側には内側パイプ７が設けられて２重管構造となっており、外側風路８と内側風路９が設けられている。内側風路９はノズル３に接続されてノズル３の先端に位置する噴出口５に連通している。また、外側風路８は、吸込部外面体２と吸込部内面体４の間に形成された吸込風路１０に連通されて、吸込口６につながっている。そして、接続パイプ１は、掃除機本体（図示せず）の接続口に直接またはホースやパイプ（図示せず）などを介して、接続されている。内側風路９と外側風路８はそれぞれ独立した風路を構成して掃除機本体に接続されており、内側風路９には掃除機本体からは塵埃等が除去された清掃に適した空気が送風され、外側風路８からは掃除機本体へ塵埃を含む空気が吸引され、掃除機本体で塵埃は空気から分離されて捕捉される。
【００１０】
上記のように構成した実施の形態１の作用を説明する。吸込口体の内側風路９に送られた空気は、内側パイプ７からノズル３を通過し、噴出口５から被清掃面に向けて噴出され、被清掃面に付着する塵埃を剥離して空気中に舞い上げる。舞い上がった塵埃は、直接に、または一旦吸込部内面４の内側の空間部ａに捕捉された後に、吸込口６より吸引される。吸込口６はスリット状で面積が小さいことから、同一吸込風量の場合に、吸込部外面２の全体を吸込口にした場合に比べると、吸込口の面積比に応じて流速が大きくなり、非常に大きい流速の気流で塵埃を吸引して、浮遊する塵埃をより強い吸引力で捕らえることができる。吸込口４から空気とともに吸引された塵埃は、吸込風路１０を経て、外側風路８を通過し、掃除機本体へ吸引される。
【００１１】
以上のように、ノズル３から被清掃面に空気を噴出しているので、被清掃面の塵埃を吸引するだけの場合に比べより強い力で塵埃を剥離することができ、被清掃面の塵埃除去性能が高まる。また、吸込部内面体４をフード形状とし、内側にほぼ半球状の空間部ａを設けたので、塵埃の飛散を防ぐことができ、吸塵性能が高まる。さらに、吸込部外面体２の内側にスリット状の吸込口６を設けたので、高速の吸引気流を発生させることができ、塵埃の飛散を防ぎ、吸塵性能が高まる。また、吸込部外面体２と吸込部内面体４を透明度の高い材料で構成したので、被清掃面の視認性が高まり、清掃の作業性が向上する。
【００１２】
［実施の形態２］
図４は本発明の実施の形態２に係る掃除機の吸込口体を示す斜視図、図５は図４の正面図、図６は図４の縦断面図である。
図において、吸込口体の接続パイプ１の先にフード形状の吸込部外面体２が設けられ、吸込部外面体２の内側には吸込部内面体４が設けられ、吸込部内面体４もフード形状をして、その内側にほぼ半球状の空間部ａが設けられている。吸込部外面体２と吸込部内面体４は透明度の高い材料で形成されており、吸込部外面体２の外側から吸込部内面体４の内側の空間を使用者が目視できるようにしてある。吸込部内面体４の内側（中心部側）には、ノズル部吸込パイプ１１が設けられ、その内側にノズル３が配置されて二重管構造となっている。吸込部外面体２と吸込部内面体４との間には吸込口６が設けられており、ノズル部吸込パイプ１１とノズル３の間にはノズル部吸込口１２が設けられ、また、ノズル３の先端には噴出口５が設けられている。
【００１３】
吸込部内面体４は吸込部外面体２よりも後退して配設され、このため吸込部外面体２の先端は吸込口６よりも若干突出して吸込口６の外周を囲い、吸込部外面体２のほぼ外周内側にスリット状に吸込口６及び吸込風路１０が形成されている。本実施の形態では、吸込口６は全周つながったスリット形状であるが、分割された複数のスリット形状であってもよい。
ノズル部吸込パイプ１１のノズル部吸込口１２は、ノズル３の噴出口５よりも空気の噴出方向に対して若干後方に配設され、ノズル３の外周を覆うようにして形成されている。図では、ノズル部吸込口１２は外周をつなげた一つの吸込口となっているが、分割された複数の吸込口であってもよく、また、ノズル部吸込口１２の形状は、図ではパイプ面に沿った形状であるが、フード形状に先端が開いた吸込口形状や、全周ではなく一部の方向にのみ吸込口を設ける等の形状であってもよい。
【００１４】
接続パイプ１の内側には内側パイプ７があって２重管の構造となっており、外側風路８と内側風路９が設けられている。内側風路９はノズル３を介してノズル３の先端にある噴出口５に連通している。また、外側風路８は、吸込部外面体２と吸込部内面体４の間に形成された吸込風路１０と、ノズル吸込部パイプ１１とノズル３の間に形成されたノズル吸込部風路１３とに連通されている。吸込風路１０は吸込口６につながり、ノズル吸込部風路１３はノズル部吸込口１２につながっている。そして、接続パイプ１は、掃除機本体（図示せず）の接続口に直接またはホースやパイプ（図示せず）などを介して接続されている。内側風路９と外側風路８はそれぞれ独立した風路を構成して掃除機本体に接続され、内側風路９には掃除機本体からは塵埃等が除去された清掃に適した空気が送風され、外側風路８からは掃除機本体へ塵埃を含む空気が吸引され、掃除機本体で塵埃は空気から分離されて捕捉される。
【００１５】
上記のように構成した実施の形態２の作用を説明する。吸込口体の内側風路９に供給された空気は、内側パイプ７からノズル３を通過し、噴出口５から被清掃面に向け噴出され、被清掃面に付着する塵埃を剥離して空気中に舞い上げる。舞い上がった塵埃は、ノズル部吸込口１２からの吸込み気流によって、ある程度吸引される。ノズル部吸込口１２は噴出口５に比較的近いことから、被清掃面から剥離した塵埃が拡散する前の塵埃密度が高い状態で吸引することが可能であり、同一風量であれば効率良く塵埃を吸引することができる。
ノズル部吸込口１２で吸引されなかった塵埃は、直接に、または一旦吸込部内面４の内側の空間部ａに捕捉された後に、吸込口６より吸引される。吸込口６はスリット状で面積が小さいことから、同一吸込風量の場合に、吸込部外面２全体を吸込口にした場合に比べると、吸込口の面積比に応じて流速が大きくなり、非常に大きい流速の気流で塵埃を吸引して、浮遊する塵埃をより強い吸引力で捕らえることができる。吸込口４から空気とともに吸引された塵埃は、吸込風路１０を経て、外側風路８を通過し、掃除機本体へ吸引される。
【００１６】
以上のように、ノズル３から被清掃面に空気を噴出しているので、被清掃面の塵埃を吸引するだけの場合に比べより強い力で塵埃を剥離することができ、被清掃面の塵埃除去性能が高まる。また、塵埃が拡散する前にノズル部吸込口１２によって塵埃を吸引するので、吸塵性能が高まる。さらに、吸込部内面体４をフード形状とし、内側にほぼ半球状の空間部ａを設けたので、塵埃の飛散を防ぎ、吸塵性能が高まる。さらに、吸込部外面体２のほぼ外周内側にスリット状の吸込口６を設けたので、高速の吸引気流を発生させることができ、塵埃の飛散を防ぎ、吸塵性能が高まる。また、吸込部外面体２と吸込部内面体４を透明度の高い材料で構成したので、被清掃面の視認性が高まり、清掃の作業性が向上する。
【００１７】
［実施の形態３］
図７は本発明の実施の形態３に係る掃除機の吸込口体を示す斜視図、図８は図７を背面側よりみた状態の斜視図、図９は図８の正面図、図１０は図９のＡ−Ａ断面図、図１１は図７の側面図、図１２は図１１のＢ−Ｂ断面図である。
図において、吸込口体の接続パイプ１の途中にノズル供給エア制御部１４が設けられ、これに接続するノズル３に空気を供給している。ノズル供給エア制御部１４はトリガー２７によって操作され、ノズル３への空気の供給をコントロールしている。なお、ノズル３の先端には噴出口５が設けられている。接続パイプ１には、吸込部フード２８が接続されている。
【００１８】
円筒状で円周のほぼ２分の１が切除されて開口された断面ほぼ半円状の吸込部フード２８は、接続側端面１５、先端側端面１７、誘導面１６、接続側ガイド面２２、先端側ガイド面２３から構成され、これらの構成面は透明な材料によって形成され、吸込部フード２８の内部を目視でき、また吸込部フード２８の向こう側を目視できるようにしてある。接続側端面１５には接続側吸込口２０が設けられ、先端側端面１７には先端側吸込口２１が設けられている。さらに吸込部フード２８の両側には、給気ダクト１８と先端側吸込ダクト１９が設けられている。
【００１９】
接続パイプ１の内側には内側パイプ７が設けられて２重管構造となっており、外側風路８と内側風路９を形成している。内側風路９は、接続側吸込口２０と、先端側吸込ダクト１９内の先端側吸込風路２５につながっており、先端側吸込風路２５は先端側吸込口２１につながっている。外側風路８は、ノズル供給エア制御部１４とつながり、また給気ダクト１９内の給気風路２４とつながっている。ノズル供給エア制御部１４は、トリガー２７の操作によってノズル３に空気を供給する。給気風路２４には、多数の誘導気流吹出口２６が、吸込部フード２８の内側の誘導面１６に沿って誘導気流２９を吹出すように設けられている。誘導気流吹出口２６は、図では、多数の小さなスリットとなっているが、適切な誘導気流２９を流せるものであれば、スリットの大きさや数は図に示す限りではなく、単一の吹出口であっても、複数の大きめの吹出口であってもよい。
【００２０】
接続パイプ１は、掃除機本体（図示せず）の接続口に直接接続されるか、またはホースやパイプ（図示せず）などを介して接続される。内側風路９と外側風路８はそれぞれ独立した風路を構成して掃除機本体に接続され、外側風路８には、掃除機本体から、塵埃等が除去されて静電気を中和するイオンを含んだ清掃に適した空気が送風され、内側風路９からは、掃除機本体に塵埃を含んだ空気が吸引され、掃除機本体で塵埃は空気から分離され、捕捉される。
【００２１】
上記のように構成した実施の形態３の作用を説明する。掃除機本体から供給された空気は、外側風路８から、ノズル供給エア制御部１４と給気ダクト１８に供給される。そしてノズル供給エア制御部１４に供給された空気は、トリガー２７の操作によってノズル３に供給され、噴出口５から被清掃面に向けて噴出され、被清掃面に付着する塵埃を剥離して空気中に舞い上げる。ノズル３へはトリガー２７の操作したときのみ空気が供給され、操作していないときには空気は供給されない。供給される空気の流量は、供給エア制御部１４によって制御され、設定により制御方法を例えば次のように選択できる。
【００２２】
第１に、供給される空気の流量はトリガー２７の操作量に相関し、トリガー２７を大きく押し込めば多量の空気が供給され、押し込みが小さければ少量の空気が供給される。第２に、トリガー２７を操作している間、間欠的に空気の供給・停止を繰り返す。第３に、トリガー２７を操作している間、空気は供給されるが、供給量は増減し、一定の供給量ではなく周期的に変動する。第４に、トリガー２７を操作している間、間欠的に空気の供給・停止を繰り返しており、供給されているときの供給量はトリガー２７の操作量に相関し、トリガー２７を大きく押し込めば多量の空気が供給され、少量の押し込みであれば少量の空気が供給される。第５に、トリガー２７を操作している間、空気は供給されるが、供給量は増減し、一定の供給量ではなく周期的に変動し、変動する供給量の中心値はトリガー２７の操作量に相関する。このように、ノズル３への空気の供給方法は、被清掃面の塵埃の種類、付着状況により使用者が選択することができる。
【００２３】
給気ダクト１８に供給された空気は、給気風路２４を経て、誘導気流吹出口２６から誘導気流２９として吹出す。誘導気流２９は誘導面１６に沿って流れ、円筒面状の循環流を形成する。円筒面状の循環流の中心軸方向にある接続側吸込口２０と、先端側吸込口２１とから空気を吸引すると、循環流内部に負圧空間が形成され、循環流の回転による遠心力と、負圧空間の吸引力により発生する向心力とが釣り合うことにより、循環流内部に渦流を形成し、人工竜巻が発生する。このとき、接続側ガイド面２２と先端側ガイド面２３によって、接続側吸込口２０と先端側吸込口２１近傍への外部からの気流の影響を緩和し、人工竜巻を安定的に発生させる。
【００２４】
ノズル３の噴出口５から噴出された空気に含まれたイオンにより、被清掃面の静電気を中和するとともに、気流の空気抵抗により、塵埃を被清掃面から剥離させ、空気中に舞い上げ、舞い上がった塵埃は吸込部フード２８内の人工竜巻の気流により吸引され、接続側吸込口２０と先端側吸込口２１とに空気とともに吸い込まれる。誘導気流２９には静電気を中和するイオンが含まれているため、誘導面１６と誘導気流２９及びそれに伴う循環流が接触しても静電気が中和され、塵埃を含んだ気流が通過しても誘導面には付着しにくい。先端側吸込口２１に吸い込まれた塵埃を含んだ空気は、先端側吸込ダクト１９内の先端側吸込風路２５を通り、接続側吸込口２０から吸い込まれた塵埃を含んだ空気とともに、内側パイプ７内の内側風路９を通って、掃除機本体に吸引される。
【００２５】
以上のように、ノズル３から被清掃面に空気を噴出しているので、被清掃面の塵埃を吸引するだけの場合に比べてより強い力で剥離することができ、被清掃面の塵埃除去性能が高まる。また、ノズル３から被清掃面に噴出する空気にはイオンが含まれているので、被清掃面の静電気を中和して塵埃を剥離しやすくし、塵埃除去性能が高まる。ノズル３へはトリガー２７を操作したときのみ空気が供給され、操作されていないときには空気は供給されないことから、必要なときのみ空気を噴出でき、不用意に被清掃面以外に空気を当てることがなく、清掃作業性が高まる。また、ノズル３に供給される空気の流量は、トリガー２７の操作量に相関することも可能であるから、塵埃の被清掃面への付着度合いに応じて調節でき、清掃作業性が高まるとともに、塵埃除去性能が高まる。
【００２６】
また、ノズル３へ供給される空気は、トリガー２７を操作している間、間欠的に空気の供給・停止を繰り返すと、供給量は増減し、一定の供給量ではなく周期的に変動することが可能であるから、塵埃除去性能が高まる。また、ノズル３へ供給される空気は、トリガー２７を操作している間、間欠的に空気の供給・停止を繰り返しており、供給されている時の供給量はトリガー２７の操作量に相関し、トリガー２７を操作している間は空気は供給されるが、供給量は増減し、一定の供給量ではなく周期的に変動し、変動する供給量の中心値は、トリガー２７の操作量に相関することが可能であることから、被清掃面への付着度合いに応じて調節でき、清掃作業性が高まるとともに、噴出量の変動により塵埃除去性能が高まる。
【００２７】
また、吸込部フード２８に人工竜巻を発生させることにより、吸引気流を発生させ、塵埃の飛散を防ぎ、吸塵性能が高まる。さらに、誘導気流２９には、静電気を中和するイオンが含まれているため、誘導面１６と誘導気流２９及びそれに伴う循環流が接触し、静電気が中和され、塵埃を含んだ気流が通過しても誘導面には付着しにくく、耐汚染性がたかまる。また、吸込部フード２８を構成する接続側端面１５、先端側端面１７、誘導面１６、接続側ガイド面２２、先端側ガイド面２３に透明な材料を用いることにより、被清掃面の視認性が高まり、清掃の作業性が向上する。
【００２８】
［実施の形態４］
図１３は本発明の実施の形態４に係る掃除機の吸込口体を示す斜視図、図１４は図１３を背面側よりみた状態の斜視図である。
実施の形態３では、吸込部フード２８の接続側端面１５に接続側吸込口２０を設け、先端側端面１７には先端側吸込口２１を設けた場合を示したが、本実施の形態４に係る吸込口体では、吸込部フード２８の接続側端面１５には吸込口がなく、先端側端面１７に先端側吸込口２１が設けられている。
なお、上記以外の構成、作用、効果は、実施の形態３と実質的に同様であるので、説明を省略する。
ノズル３から噴出した空気の流速が大きい場合や噴出の角度等によっては、本実施の形態のように、気流の流れる側である先端側吸込口２１から吸引した方が効率良く吸塵可能な場合がある。
【００２９】
本実施の形態によれば、ノズル３から噴出する気流に応じて先端側吸込口２１から吸引することにより、吸塵性能をより高めることができる。
【００３０】
［実施の形態５］
図１５は本発明の実施の形態５に係る掃除機の吸込口体を示す斜視図、図１６は図１５を背面側よりみた状態の斜視図、図１７は図１６の正面図、図１８は図１７のＣ−Ｃ断面図、図１９は図１５の側面図、図２０は図１９のＤ−Ｄ断面図である。
実施の形態３では、吸込部フード２８の接続側端面１５に接続側吸込口２０を設け、先端側端面１７には先端側吸込口２１が設けられ、先端側吸込ダクト１９内の先端側吸込風路２５が内側パイプ７につながっている場合を示したが、本実施の形態５の吸込口体は、吸込部フード２８の接続側端面１５に接続側吸込口２０が設けられているが、先端側端面１７には吸込口がなく、先端側吸込ダクトも設けられていない。先端側端面１７には吸込口がないので、先端側吸込ダクトが不要である。
なお、上記以外の構成、作用、効果は、実施の形態３と実質的に同様なので、説明を省略する。
【００３１】
ノズル３から噴出した空気の流速が遅い場合や噴出の角度等によっては、接続側吸込口２０だけででも塵埃を吸引することは可能であり、この場合は接続側吸込ダクトが不要となることから、吸込口体を簡単な構造とすることができ、軽量とすることができる。
【００３２】
本実施の形態によれば、ノズル３から噴出する気流に応じて接続側吸込口２０から吸引することにより、接続側吸込ダクトが不要となり、吸込口体を簡単な構造とすることができ、低コストで製造することができるとともに、軽量な吸込口体とすることができ、清掃の作業性を高めることができる。
【００３３】
［実施の形態６］
図２１は本発明の実施の形態６に係る掃除機の吸込口体を示す斜視図、図２２は図２１を背面側よりみた状態の斜視図、図２３は図２２の正面図、図２４は図２３のＥ−Ｅ断面図、図２５は図２１の側面図、図２６は図２５のＦ−Ｆ断面図である。
実施の形態３では、吸込口体の接続パイプ１の途中にノズル供給エア制御部１４が設けられ、ノズル３の噴出口５から被清掃面に向けて空気を噴出して、被清掃面に付着した塵埃を剥離する場合を示したが、本実施の形態６に係る吸込口体は、吸込部フード２８の接続側端面１５に棒状の柄３０が取付けられており、柄３０にはブラシ３１が植毛されており、実施の形態３のように、ノズル供給エア制御部、トリガー、ノズルが設けられていない。
なお、上記以外の構成、作用、効果以外は、実施の形態３と実質的に同様なので、説明を省略する。
【００３４】
ブラシ３１を被清掃面に接触させて、掃く、擦る等の動作を行うことにより、被清掃面に付着する塵埃は剥離して空気中に舞い上がる。こうして、空気中に舞い上がった塵埃は、吸込部フード２８内の人工竜巻により吸引され、先端側吸込口２１、接続側吸込口２０に吸込まれ吸塵される。
【００３５】
本実施の形態によれば、ブラシ３１により被清掃面の塵埃を剥離することにより、ノズルから噴出する空気では剥離できないような塵埃も剥離可能となり、塵埃除去性能が高まる。また、ノズル供給エア制御部、トリガー、ノズルがないため、簡単な構造とすることができ、低コストで製造でき、軽量な吸込口体となり、清掃の作業性を高めることができる。
【００３６】
［実施の形態７］
図２７は本発明の実施の形態７に係る掃除機の吸込口体を示す斜視図、図２８は図２７を背面側よりみた状態の斜視図、図２９は図２８の正面図、図３０は図２９のＧ−Ｇ断面図、図３１は図２７の側面図、図３２は図３１のＨ−Ｈ断面図である。
図において、吸込口体の接続パイプ１の途中に回転清掃体駆動部３５が設けられ、回転軸カバー３２が取付けられている。回転軸３３は、回転軸カバー３２内を通じて回転清掃体駆動部３５内の駆動装置（図示せず）に連結されて、駆動される。駆動装置はエアタービンと減速装置とから構成され、パイプ１から供給される空気によりエアタ−ビンで動力に変換され、減速装置で減速し、回転軸３３を駆動する。本実施の形態７では、エアタービンを動力源としているが、これに限定するものではなく、電動機等を動力源とした駆動装置でもよい。回転清掃体駆動部３５は、回転清掃体制御トリガー３６により操作される。回転軸３３の回転軸カバー３２に覆われていない部分の外周には、被清掃の清掃に適切なブラシ等の清掃体３４が設けられている。
【００３７】
接続パイプ１には、吸込部フード２８が接続されている。吸込部フード２８は、接続側端面１５、先端側端面１７、誘導面１６、接続側ガイド面２２、先端側ガイド面２３から構成され、これらの構成面の全部又は一部は透明な材料でつくられており、吸込部フード２８の内部を目視でき、また吸込部フード２８を通して目視可能としている。接続側端面１５には接続側吸込口２０が設けられ、先端側端面１７には、先端側吸込口２１が設けられている。吸込部フード２８には、給気ダクト１９と先端側吸込ダクト２１が設けられている。接続パイプ１の内側には内側パイプ７があり、２重管の構造となって外側風路８と内側風路９を形成している。
【００３８】
内側風路９は、接続側吸込口２０と先端側吸込ダクト１９内の先端側吸込風路２５とにつながっており、先端側吸込風路２５は先端側吸込口２１につながっている。外側風路８は、回転清掃体駆動部３５と給気ダクト１８内の給気風路２４とつながっている。回転清掃体駆動部３５は、回転清掃体制御トリガー３６の操作によって制御され、回転軸３３を駆動する。給気風路２４には、多数の誘導気流吹出口２６が、吸込部フード２８の内側の誘導面１６に沿って誘導気流２９を吹出すように設けられている。誘導気流吹出口２６は、本実施の形態７では、多数の小さなスリットとなっているが、適切な誘導気流２９を流せるものであればスリットの大きさや数は図に示す限りではなく、単一の吹出口であっても、複数の大きめの吹出口であってもよい。
【００３９】
接続パイプ１は、掃除機本体（図示せず）の接続口に直接接続されるか、またはホースやパイプ（図示せず）などを介して接続される。内側風路９と外側風路８は、それぞれ独立した風路で掃除機本体に接続され、外側風路８には、掃除機本体から塵埃等が除去され静電気を中和するイオンを含んだ清掃に適した空気が送風され、内側風路９からは、掃除機本体へ塵埃を含む空気が吸引され、掃除機本体で塵埃は空気から分離して捕捉される。
【００４０】
上記のように構成した本発明の作用について説明する。掃除機本体から供給された空気は、外側風路８から回転清掃体駆動部３５と給気ダクト１８に供給される。回転清掃体駆動部３５に供給された空気は、回転清掃体駆動部３５内のエアタービンで動力に変換され、回転清掃体制御トリガー３６の操作により回転軸３３を駆動し、回転軸３３に植毛された清掃体３４が回転しながら、被清掃面を掃く、また擦ることにより、被清掃面に付着した塵埃を剥離し、空気中に舞い上げる。回転軸３３は、回転清掃体制御トリガー３６を操作したときのみ回転し、操作されていないときは停止している。回転軸の軸動力（＝回転数×トルク）は、回転清掃体駆動部３５により制御され、設定により制御方法を例えば次のように選択できる。
【００４１】
第１には、軸動力は回転清掃体制御トリガー３６の操作量に相関し、回転清掃体制御トリガー３６を大きく押し込めば軸動力が増えて回転数やトルクが増し、小さく押し込めば軸動力は少なく、回転数は遅く、トルクも小さくなる。第２には、回転清掃体制御トリガー３６を操作している間、間欠的に、回転軸３３の回転、停止を繰り返す。第３には、回転清掃体制御トリガー３６を操作しているあいだ、回転軸３３は回転するが、軸動力は一定ではなく、周期的に変動する。第４には、回転清掃体制御トリガー３６を操作している間、回転軸３３は間欠的に回転、停止を繰り返しており、軸動力は回転清掃体制御トリガー３６の操作量に相関し、回転清掃体制御トリガー３６を大きく押し込めば軸動力が大きく、小さい押し込みであれば、軸動力は小さくなる。第５には、回転清掃体制御トリガー３６を操作しているあいだ、回転軸３３は回転するが、軸動力は増減し、一定の軸動力ではなく周期的に変動し、変動する軸動力の中心値は、回転清掃体制御トリガー３６の操作量に相関する。このように、回転軸３３の軸動力の制御方法は、被清掃面の種類、塵埃の種類、付着状況により使用者が選択することができる。
【００４２】
給気ダクト１８に供給された空気は、給気風路２４を経て、誘導気流吹出口２６から誘導気流２９として吹出す。誘導気流２９は誘導面１６に沿って流れ、円筒面状の循環流を形成する。円筒面状の循環流の中心軸方向にある接続側吸込口２０と先端側吸込口２１から空気を吸引すると、循環流内部に負圧空間が形成され、循環流の回転による遠心力と、負圧空間の吸引力により発生する向心力とが釣り合うことにより、循環流内部に渦流を形成し、人工竜巻が発生する。接続側ガイド面２２、先端側ガイド面２３により、接続側吸込口２０と先端側吸込口２１近傍への外部からの気流の影響を緩和し、人工竜巻を安定的に発生させる。
【００４３】
清掃体３４が回転しながら被清掃面を掃く、また擦ることにより、空気中に舞い上がった塵埃は、吸込部フード２８内の人工竜巻の気流により吸引され、接続側吸込口２０と先端側吸込口２１に空気とともに吸い込まれる。誘導気流２９には静電気を中和するイオンが含まれているため、誘導面１６と誘導気流２９及びそれに伴う循環流が接触して静電気が中和され、塵埃を含んだ気流が通過しても、誘導面には付着しにくい。先端側吸込口２１に吸い込まれた塵埃を含んだ空気は、先端側吸込ダクト１９内の先端側吸込風路２５を通り、接続側吸込口２０から吸い込まれた塵埃を含んだ空気とともに、内側パイプ７内の内側風路９を通って、掃除機本体に吸引される。
【００４４】
以上のように、清掃体３４が回転しながら被清掃面を掃く、また擦るので、被清掃面の塵埃を吸引するだけの場合に比べ、より強い力で塵埃を剥離することができ、被清掃面の塵埃除去性能が高まる。清掃体３４は、回転清掃体制御トリガー３６を操作したときのみ回転し、操作されていない時は停止していることから、必要なときのみブラシが回転するので、不用意に被清掃面以外に回転したブラシを当てることがなく、清掃作業性、安全性が高まる。また、回転軸３３の軸動力は、回転清掃体制御トリガー３６の操作量に相関することも可能であるから、塵埃の被清掃面への付着度合いに応じて調節でき、清掃作業性が高まるとともに、塵埃除去性能が高まる。
【００４５】
また、回転軸３３の軸動力は、回転清掃体制御トリガー３６を操作している間、間欠的に回転軸３３の回転、停止を繰り返す、回転軸３３の軸動力は増減し、一定の供給量ではなく周期的に変動することが可能であるから、塵埃除去性能が高まる。また、回転軸３３の軸動力は、回転清掃体制御トリガー３６を操作している間、間欠的に回転軸３３の回転、停止を繰り返しており、回転軸３３の軸動力は、回転清掃体制御トリガー３６の操作量に相関し、回転清掃体制御トリガー３６を操作している間、回転軸３３は回転するが、軸動力は増減し一定ではなく周期的に変動し、変動する軸動力の中心値は、回転清掃体制御トリガー３６の操作量に相関することが可能であるから、被清掃面への付着度合いに応じて調節でき、清掃作業性が高まるとともに、軸動力の変動により、塵埃除去性能が高まる。
【００４６】
また、吸込部フード２８に人工竜巻を発生させることにより吸引気流を発生させ、塵埃の飛散を防ぎ、吸塵性能が高まる。また、誘導気流２９には静電気を中和するイオンが含まれているため、誘導面１６と誘導気流２９及びそれに伴う循環流が接触して静電気が中和され、塵埃を含んだ気流が通過しても誘導面には付着しにくく、耐汚染性がたかまる。また、吸込部フード２８を構成する接続側端面１５、先端側端面１７、誘導面１６、接続側ガイド面２２、先端側ガイド面２３に透明な材料を用いることにより、被清掃面の視認性が高まり、清掃の作業性が向上する。
【００４７】
［実施の形態８］
図３３は本発明の実施の形態８に係る掃除機の吸込口体を示す斜視図、図３４は図３３を背面側よりみた状態の斜視図、図３５は図３３の平面図、図３６は図３５のＩ−Ｉ断面図、図３７は図３３の側面図、図３８は図３７のＪ−Ｊ断面図である。
図において、吸込口体の接続パイプ１の途中にノズル供給エア制御部１４が設けられ、ワイドノズル３７に空気を供給している。ノズル供給エア制御部１４はトリガー２７により操作され、ワイドノズル３７への空気の供給をコントロールしている。ノズル供給エア制御部１４はワイドノズル３７に接続され、その先端には噴出口５が複数設けられている。接続パイプ１には、吸込部フード２８が接続される。
【００４８】
吸込部フード２８は、左端面３９、右端面４０、誘導面１６から構成され、これらの構成面は透明な材料でつくられており、吸込部フード２８内部を目視でき、また吸込部フード２８を通して向こう側を目視可能としている。左端面３９には左端面吸込口４１が設けられ、右端面４０には右端面吸込口４２が設けられている。吸込部フード２８には、給気ダクト１９と両端面吸込ダクト４３が設けられており、これらも上記の構成面同様に、透明な材料でつくられている。給気ダクト１９の端部には誘導気流吹出部３８が形成され、誘導気流吹出口２６が多数設けられている。接続パイプ１の内側には内側パイプ７が形成され、２重管の構造となって外側風路８と内側風路９が設けられている。
【００４９】
内側風路９は、両端面吸込ダクト４３内の両端面吸込風路４４につながっており、両端面吸込風路４４は、左端面吸込口４１と右端面吸込口４２につながっている。外側風路８は、ノズル供給エア制御部１４と給気ダクト１９内の給気風路２４とつながっている。ノズル供給エア制御部１４は、トリガー２７の操作によってワイドノズル３７に空気を供給する。給気ダクト１９の先端には、誘導気流吹出部３８が設けられている。誘導気流吹出部３８には、多数の誘導気流吹出口２６が、吸込部フード２８の内側の誘導面１６に沿って、誘導気流２９を吹出すように配置され、給気風路２４から供給された空気を、誘導気流２９として吹出している。誘導気流吹出口２６は、本実施の形態８では、多数の小さなスリットとなっているが、適切な誘導気流２９を流せるものであれば、スリットの大きさや数は図に示す限りではなく、単一の吹出口でも、複数の大きめの吹出口であってもよい。
【００５０】
接続パイプ１は、掃除機本体（図示せず）の接続口に直接接続され、またはホースやパイプ（図示せず）などを介して接続される。内側風路９と外側風路８はそれぞれ独立した風路で掃除機本体に接続され、外側風路８には、掃除機本体からは、塵埃等が除去され静電気を中和するイオンを含んだ清掃に適した空気が送風され、内側風路９からは、掃除機本体へ塵埃を含む空気が吸引され、掃除機本体で塵埃は空気から分離、捕捉される。
【００５１】
上記のように構成した本発明の作用を説明する。掃除機本体から供給された空気は、外側風路８から、ノズル供給エア制御部１４と給気ダクト１９とに供給される。ノズル供給エア制御部１４に供給された空気は、トリガー２７の操作によって、ワイドノズル３７に空気を供給し、噴出口５から被清掃面に向け噴出され、被清掃面に付着した塵埃を剥離し、空気中に舞い上げる。ワイドノズル３７へは、トリガー２７の操作したときのみ空気が供給され、操作されていないときには空気は供給されない。供給される空気の流量は、供給エア制御部１４により制御され、設定により制御方法を例えば次のように選択できる。
【００５２】
第１には、供給される空気の流量はトリガー２７の操作量に相関し、トリガー２７を大きく押し込めば多量の空気が供給され、小さく押し込めば少量の空気が供給される。第２には、トリガー２７を操作している間、間欠的に空気の供給、停止を繰り返す。第３には、トリガー２７を操作している間、空気は供給されるが、供給量は増減し、一定の供給量ではなく、周期的に変動する。第４には、トリガー２７を操作している間、間欠的に空気の供給、停止を繰り返しており、供給されているときの供給量はトリガー２７の操作量に相関し、トリガー２７を大きく押し込めば多量の空気が供給され、小さい押し込みであれば少量の空気が供給される。第５には、トリガー２７を操作している間、空気は供給されるが、供給量は増減し、一定の供給量ではなく周期的に変動し、変動する供給量の中心値は、トリガー２７の操作量に相関する。このように、ワイドノズル３７への空気の供給方法は、被清掃面の塵埃の種類、付着状況により使用者が選択することができる。
【００５３】
給気ダクト１９に供給された空気は、給気風路２４を経て、誘導気流吹出口２６から誘導気流２９として吹出す。誘導流２９は誘導面１６に沿って流れ、円筒面状の循環流を形成する。円筒面状の循環流の中心軸方向にある右端面吸込口４２と左端面吸込口４１から空気を吸引すると、循環流内部に負圧空間が形成され、循環流の回転による遠心力と、負圧空間の吸引力により発生する向心力とが釣り合うことにより、循環流内部に渦流を形成し、人工竜巻が発生する。
【００５４】
ワイドノズル３７の噴出口５から噴出された空気に含まれたイオンにより、被清掃面の静電気を中和するとともに、気流の空気抵抗により、塵埃を被清掃面から剥離させ、空気中に舞い上げ、舞い上がった塵埃は吸込部フード２８内の人工竜巻の気流により吸引され、右端面吸込口４２と左端面吸込口４１に空気とともに吸い込まれる。誘導気流２９には、静電気を中和するイオンが含まれているため、誘導面１６と誘導気流２９、及びそれに伴う循環流が接触して静電気が中和され、塵埃を含んだ気流が通過しても、誘導面には付着しにくい。右端面吸込口４２と左端面吸込口４１に吸い込まれた塵埃を含んだ空気は、両端面吸込ダクト４３内の両端面吸込風路４４を通り、内側パイプ７内の内側風路９を通って、掃除機本体に吸引される。
【００５５】
以上のように、ワイドノズル３７から被清掃面に空気を噴出しているので、被清掃面の塵埃を吸引するだけの場合に比べ、より強い力で塵埃を剥離することができ、被清掃面の塵埃除去性能が高まる。また、ワイドノズル３７から被清掃面に噴出する空気にはイオンが含まれているので、被清掃面の静電気を中和し、塵埃を剥離しやすくするので、塵埃除去性能が高まる。ワイドノズル３７へは、トリガー２７を操作したときのみ空気が供給され、操作されていないときには空気は供給されないことから、必要なときのみ空気を噴出でき、不用意に被清掃面以外に空気を当てることがなく、清掃作業性が高まる。また、ワイドノズル３７へ供給される空気の流量は、トリガー２７の操作量に相関することも可能であるから、塵埃の被清掃面への付着度合いに応じて調節でき、清掃作業性が高まるとともに、塵埃除去性能が高まる。
【００５６】
また、ワイドノズル３７へ供給される空気は、トリガー２７を操作している間、間欠的に空気の供給・停止を繰り返す、供給量は増減し、一定の供給量ではなく周期的に変動することが可能であるから、塵埃除去性能が高まる。また、ワイドノズル３７へ供給される空気は、トリガー２７を操作している間、間欠的に空気の供給・停止を繰り返しており、供給されているときの供給量はトリガー２７の操作量に相関しする、トリガー２７を操作している間、空気は供給されるが、供給量は増減し、一定の供給量ではなく、周期的に変動し、変動する供給量の中心値は、トリガー２７の操作量に相関することが可能であることから、被清掃面への付着度合いに応じて調節でき、清掃作業性が高まるとともに、噴出量の変動により塵埃除去性能が高まる。
【００５７】
また、吸込部フード２８に人工竜巻を発生させることにより、吸引気流を発生させ、塵埃の飛散を防ぎ、吸塵性能が高まる。また、誘導気流２９には、静電気を中和するイオンが含まれているため、誘導面１６と誘導気流２９、及びそれに伴う循環流が接触して静電気が中和され、塵埃を含んだ気流が通過しても誘導面には付着しにくく、耐汚染性がたかまる。また、吸込部フード２８を構成する左端面３９、右端面Ｂ４０、誘導面１６、給気ダクト１９、両端面吸込ダクト４３に透明な材料を用いることにより、被清掃面の視認性が高まり、清掃の作業性が向上する。
【図面の簡単な説明】
【００５８】
【図１】本発明の実施の形態１に係る掃除機の吸込口体を示す斜視図である。
【図２】図１の正面図である。
【図３】図１の縦断面図である。
【図４】本発明の実施の形態２に係る掃除機の吸込口体を示す斜視図である。
【図５】図４の正面図である。
【図６】図４の縦断面図である。
【図７】本発明の実施の形態３に係る掃除機の吸込口体を示す斜視図である。
【図８】図７を背面側よりみた状態の斜視図である。
【図９】図８の正面図である。
【図１０】図９のＡ−Ａ断面図である。
【図１１】図７の側面図である。
【図１２】図１１のＢ−Ｂ断面図である。
【図１３】本発明の実施の形態４に係る掃除機の吸込口体を示す斜視図である。
【図１４】図１３を背面側よりみた状態の斜視図である。
【図１５】本発明の実施の形態５に係る掃除機の吸込口体を示す斜視図である。
【図１６】図１５を背面側よりみた状態の斜視図である。
【図１７】図１５の正面図である。
【図１８】図１７のＣ−Ｃ断面図である。
【図１９】図１５の側面図である。
【図２０】図１９のＤ−Ｄ断面図である。
【図２１】本発明の実施の形態６に係る掃除機の吸込口体を示す斜視図である。
【図２２】図２１を背面側よりみた状態の斜視図である。
【図２３】図２１の正面図である。
【図２４】図２３のＥ−Ｅ断面図である。
【図２５】図２１の側面図である。
【図２６】図２５のＦ−Ｆ断面図である。
【図２７】本発明の実施の形態７に係る掃除機の吸込口体を示す斜視図である。
【図２８】図２７を背面側よりみた状態の斜視図である。
【図２９】図２７の正面図である。
【図３０】図２９のＧ−Ｇ断面図である。
【図３１】図２７の側面図である。
【図３２】図３１のＨ−Ｈ断面図である。
【図３３】本発明の実施の形態７に係る掃除機の吸込口体を示す斜視図である。
【図３４】図３３を背面側よりみた状態の斜視図である。
【図３５】図３３の平面図である。
【図３６】図３５のＩ−Ｉ断面図である。
【図３７】図３３の側面図である。
【図３８】図３７のＪ−Ｊ断面図である。
【符号の説明】
【００５９】
１  接続パイプ、２  吸込部外面体、３  ノズル、４  吸込部内面体、５  噴出口、６  吸込口、７  内側パイプ、８  外側風路、９  内側風路、１０  吸込風路、１１  ノズル部吸込パイプ、１２  ノズル部吸込口、１３  ノズル吸込部風路、１４  ノズル供給エア制御部、１５  接続側端面、１６  誘導面、１７  先端側端面、１８  給気ダクト、２０  接続側吸込口、２１  先端側吸込口、２６  誘導気流吹出口、２７，３６  トリガー、  ２８  吸込部フード、３０  柄、３１  ブラシ、３３  回転軸、３４  清掃体、３５  回転清掃体駆動部、ａ  空間部。
【図１】
2005279185.tif 000003
【図２】
2005279185.tif 000004
【図３】
2005279185.tif 000005
【図４】
2005279185.tif 000006
【図５】
2005279185.tif 000007
【図６】
2005279185.tif 000008
【図７】
2005279185.tif 000009
【図８】
2005279185.tif 000010
【図９】
2005279185.tif 000011
【図１０】
2005279185.tif 000012
【図１１】
2005279185.tif 000013
【図１２】
2005279185.tif 000014
【図１３】
2005279185.tif 000015
【図１４】
2005279185.tif 000016
【図１５】
2005279185.tif 000017
【図１６】
2005279185.tif 000018
【図１７】
2005279185.tif 000019
【図１８】
2005279185.tif 000020
【図１９】
2005279185.tif 000021
【図２０】
2005279185.tif 000022
【図２１】
2005279185.tif 000023
【図２２】
2005279185.tif 000024
【図２３】
2005279185.tif 000025
【図２４】
2005279185.tif 000026
【図２５】
2005279185.tif 000027
【図２６】
2005279185.tif 000028
【図２７】
2005279185.tif 000029
【図２８】
2005279185.tif 000030
【図２９】
2005279185.tif 000031
【図３０】
2005279185.tif 000032
【図３１】
2005279185.tif 000033
【図３２】
2005279185.tif 000034
【図３３】
2005279185.tif 000035
【図３４】
2005279185.tif 000036
【図３５】
2005279185.tif 000037
【図３６】
2005279185.tif 000038
【図３７】
2005279185.tif 000039
【図３８】
2005279185.tif 000040